【事件の表示】
　平成１０年特許願第３１８９８２号「レンズ駆動装置及びレンズ駆動装置を備えたカメラ」拒絶査定不服審判事件〔平成１２年　５月２６日出願公開、特開２０００−１４７３５０〕について、次のとおり審決する。
【結　論】
　本件審判の請求は、成り立たない。
【理　由】
１．手続の経緯
　本願は、平成１０年１１月１０日の出願であって、平成１６年３月２３日付で拒絶査定がなされ、これに対し、平成１６年４月２６日に拒絶査定に対する審判請求がなされるとともに、平成１６年５月２４日付で手続補正がなされたものである。
　
２．平成１６年５月２４日付の手続補正についての補正の却下の決定
［補正の却下の決定の結論］
　　平成１６年５月２４日付の手続補正を却下する。
［理由］
（１）補正後の本願発明
　本件補正により、特許請求の範囲の請求項１は、
「鏡筒の内部に配設された複数の可動レンズ部に設けられた駆動コイルをヨーク及びマグネットを含む磁気回路により光軸方向に移動させるレンズ駆動装置において、前記ヨークは、前記複数の可動レンズ部の各駆動コイルが摺動自在に外嵌された一の第１ヨークと、前記マグネットを保持した一の第２ヨークと、前記第１ヨーク及び前記第２ヨークを連結する第３ヨークとからなり、前記第３ヨークがレンズの駆動方向に関して前記各駆動コイルの間に位置することにより、前記各駆動コイルに対応した数の磁気回路が形成され、前記第２ヨークが前記鏡筒の外周壁に形成された内外を連通させる切欠孔を塞ぐようにして前記鏡筒に取り付けられると共に、前記第２ヨークと前記鏡筒が一体になって前記レンズ駆動装置の一外周面を形成し、前記第１ヨーク及び前記第３ヨークが前記鏡筒内に位置することを特徴とするレンズ駆動装置。」
と補正された。
　上記補正は、補正前の発明について、「前記第２ヨークと前記鏡筒が一体になって前記レンズ駆動装置の一外周面を形成し」との限定を付加するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法第１７条の２第５項において準用する同法第１２６条第５項の規定に適合するか）について以下に検討する。
　
（２）刊行物
　原査定の拒絶の理由に引用された特開平４−２３３５０６号公報（以下、刊行物１という。）には、
ア．「【請求項１】可動レンズを保持したレンズ保持部材と、絞り羽根を移動するためのアイリス調整手段に連係されたアイリス駆動体と、横断面の半径方向における全部又は一部が透磁性を有する材料により形成され上記レンズ保持部材及びアイリス駆動体が摺動自在に各別に支持された一のガイド軸と、上記レンズ保持部材及びアイリス駆動体に上記ガイド軸と同軸なるように各別に支持された可動コイルと、少なくともこれら可動コイルの移動範囲を囲繞し上記ガイド軸の略全長に亘って配置されたヨークと、該ヨークと接触して磁界を形成するマグネットとを備えたことを特徴とするレンズ鏡筒。」（【請求項１】）
イ．「【００３４】
　３０はズームレンズ２２を保持するためのズームレンズ保持部材である。ズームレンズ保持部材３０は、前後方向から見て上下方向に稍長い略矩形をした平板状を為すレンズ保持部３１と、略円筒状をしたコイルボビン３２とが合成樹脂により一体に形成されて成り、コイルボビン３２は前後方向における両端縁に外方に向って突出した２つのフランジ３２ａ、３２ａが形成され、該フランジ３２ａ、３２ａのうち後側に位置するものがレンズ保持部３１の上端縁に連続されている。」（【００３４】）
ウ．「【００４３】
　３６はフォーカスレンズ２３を保持するフォーカスレンズ保持部材である。このフォーカスレンズ保持部材３６は前記ズームレンズ２２のズームレンズ保持部材３０と略同じ形状及び構造を有しているため、その説明は簡単に行なう。」（【００４３】）
エ．「【００５３】
　４１、４２は外側ヨークであり、該外側ヨーク４１、４２は薄肉な円筒形の周方向における一部を除去した如き形状をしており、その一方４１（以下、「第１の外側ヨーク」と言う。）は外殻前部３の上面壁７の内面に、また、他方の外側ヨーク４２（以下、「第２の外側ヨーク」と言う。）が外殻後部４の上面壁１１の内面にそれぞれそれらの切欠４１ａ、４２ａが下方を向く向きでガイド軸２８と同軸に位置するように固定されている。
【００５４】
　４３、４４及び４５は連結ヨーク（図１参照）であり、厚肉な円帯形の周方向における一部を除去した如き形状をしており、その一つ４３（以下、「第１の連結ヨーク」と言う。）は第１の外側ヨーク４１にその前端面を閉塞するように取着され、かつ、その内周面４３ａがガイド軸２８の外周面と接触するように設けられ、別の２つの連結ヨーク４４（以下、「第２の連結ヨーク」と言う。）と４５（以下、「第３の連結ヨーク」と言う。）は第２の外側ヨーク４２にその前後両端面を各別に閉塞するように取着され、かつ、その内周面４４ａ、４５ａがガイド軸２８の外周面と接触するように設けられている。
【００５５】
　４６及び４７は円筒形のマグネットであり、これらマグネット４６、４７は外側ヨーク４１、４２と同様、円筒形の周方向における一部を除去した如き形状をしており、その１つ４６（以下、「第１のマグネット」と言う。）はガイド軸２８の前半部２８ｂと略同じ長さを有し、その切欠４６ａが第１の外側ヨーク４１の切欠４１ａと一致するように該第１の外側ヨーク４１の内周面に固定され、もう一つのマグネット４７（以下、「第２のマグネット」と言う。）はガイド軸２８の後半部２８ｃの略半分の長さを有し、その切欠４７ａが第２の外側ヨーク４２の切欠４２ａと一致するように該第２の外側ヨーク４２の内周面であって、その後端面が第２の外側ヨーク４２の後端部に取着された第２の連結ヨーク４４に接触するように固定される。
【００５６】
　しかして、ガイド軸２８の前半部２８ｂとズームレンズ保持部材３０に支持された可動コイル３５と第１のマグネット４６と第１の外側ヨーク４１は中心側からこの順序で互いに同軸に配列されると共に、ガイド軸２８と第１の外側ヨーク４１とは第１の連結ヨーク４３を介して接続され、これにより、第１のマグネット４６−第１の外側ヨーク４１−第１の連結ヨーク４３−ガイド軸２８−ガイド軸２８と第１のマグネット４６との間の空間−第１のマグネット４６という閉磁路が形成され、可動コイル３５は上記空間内に位置される。
【００５７】
　従って、ガイド軸２８と第１の外側ヨーク４１と第１の連結ヨーク４３と第１のマグネット４６と可動コイル３５とによって１つのボイスコイル型のアクチュエータ４８（以下、「ズームレンズのアクチュエータ」と言う。）が構成される。
【００５８】
　また、ガイド軸２８の後半部２８ｃと第２のフォーカスレンズ保持部材３６に支持された可動コイル４０と第２のマグネット４７と第２の外側ヨーク４２は中心側からこの順序で互いに同軸に配列されると共に、ガイド軸２８と第２の外側ヨーク４２とは第２の連結ヨーク４４を介して接続され、これにより、第２のマグネット４７−第２の外側ヨーク４２−第２の連結ヨーク４４−ガイド軸２８−ガイド軸２８と第２のマグネット４７との間の空間−第２のマグネット４７という閉磁路が形成され、可動コイル４０は上記空間内に位置される。
【００５９】
　従って、ガイド軸２８と第２の外側ヨーク４２と第２の連結ヨーク４４と第２のマグネット４７と可動コイル４０とによって、別のボイスコイル型アクチュエータ４９（以下、「フォーカスレンズのアクチュエータ」と言う。）が構成される。
【００６０】
　そこで、可動コイル３５又は４０に駆動電流を供給すると、該可動コイル３５又は４０に、その軸方向に沿う方向であって当該駆動電流の方向に応じた方向への移動力が付勢されるので、この移動力によってズームレンズ保持部材３０又はフォーカスレンズ部材３６が前方へ又は後方へそれぞれ移動され、それにより、ズームレンズ２２又はフォーカスレンズ２３がその光軸方向へそれぞれ移動される。」（【００５３】〜【００６０】）
との記載が認められる。
　してみれば、引用例１には、
「ズームレンズ２２、フォーカスレンズ２３をそれぞれ保持するズームレンズ保持部材３０、フォーカスレンズ保持部材３６と、ズームレンズ保持部材３０、フォーカスレンズ保持部材３６にそれぞれ支持された可動コイル３５、４０とを有し、ガイド軸２８と第１の外側ヨーク４１と第１の連結ヨーク４３と第１のマグネット４６と可動コイル３５とによって１つのボイスコイル型のアクチュエータ４８が構成され、ガイド軸２８と第２の外側ヨーク４２と第２の連結ヨーク４４と第２のマグネット４７と可動コイル４０とによって、別のボイスコイル型アクチュエータ４９が構成され、可動コイル３５又は４０に駆動電流を供給することにより、該可動コイル３５、４０を光軸方向に移動させるレンズ駆動装置において、ガイド軸２８の前半部２８ｂとズームレンズ保持部材３０に支持された可動コイル３５と第１のマグネット４６と第１の外側ヨーク４１は中心側からこの順序で互いに同軸に配列されると共に、ガイド軸２８の後半部２８ｃと第２のフォーカスレンズ保持部材３６に支持された可動コイル４０と第２のマグネット４７と第２の外側ヨーク４２は中心側からこの順序で互いに同軸に配列されたレンズ駆動装置。」
の発明（以下「刊行物１発明」という。）が開示されていると認めることができる。
　
（３）対比
　そこで、本願補正発明と刊行物１発明とを比較すると、刊行物１発明の「ズームレンズ２２、フォーカスレンズ２３と、ズームレンズ保持部材３０、フォーカスレンズ保持部材３６と、ズームレンズ保持部材３０、フォーカスレンズ保持部材３６にそれぞれ支持された可動コイル３５、４０」、「可動コイル３５、４０」、「ガイド軸２８」、「マグネット４６、４７」、「外側ヨーク４１、４２」、「連結ヨーク４３、４４」は、それぞれ、本願補正発明の「複数の可動レンズ部」、「駆動コイル」、「第１ヨーク」、「マグネット」、「第２ヨーク」、「第３ヨーク」に相当する。
　また、刊行物１発明は「ガイド軸２８と第１の外側ヨーク４１と第１の連結ヨーク４３と第１のマグネット４６と可動コイル３５とによって１つのボイスコイル型のアクチュエータ４８が構成され」、「ガイド軸２８と第２の外側ヨーク４２と第２の連結ヨーク４４と第２のマグネット４７と可動コイル４０とによって、別のボイスコイル型アクチュエータ４９が構成され」、「可動コイル３５又は４０に駆動電流を供給することにより、該可動コイル３５、４０を光軸方向に移動させる」のであるから、「駆動コイルをヨーク及びマグネットを含む磁気回路により光軸方向に移動させる」構成となっていることは明らかであり、刊行物１発明における「ガイド軸２８」（本願補正発明の「第１ヨーク」に相当）が「複数の可動レンズ部の各駆動コイルが摺動自在に外嵌された一のもの」からなることも明らかであり、刊行物１発明における「連結ヨーク４３、４４」（本願補正発明の「第３ヨーク」に相当）が「第１ヨーク及び第２ヨークを連結」していることも明らかである。
　さらに、刊行物１発明は「可動コイル３５、４０」（本願補正発明の「駆動コイル」に相当）が鏡筒の内部に配設されていること、「ガイド軸２８」及び「連結ヨーク４３、４４」（本願補正発明の「第１ヨーク」及び「第３ヨーク」に相当）が鏡筒内に位置することも明らかであるといえる。
　してみれば、両者は、
「鏡筒の内部に配設された複数の可動レンズ部に設けられた駆動コイルをヨーク及びマグネットを含む磁気回路により光軸方向に移動させるレンズ駆動装置において、前記ヨークは、前記複数の可動レンズ部の各駆動コイルが摺動自在に外嵌された一の第１ヨークと、第２ヨークと、前記第１ヨーク及び前記第２ヨークを連結する第３ヨークとからなり、前記第１ヨーク及び前記第３ヨークが前記鏡筒内に位置するレンズ駆動装置。」
である点で一致し、以下の点で相違している。
［相違点１］
　第２ヨークが、本願補正発明は、マグネットを保持した一のものからなるのに対し、刊行物１発明では、マグネットを保持することについての限定が付されておらず、また、二つの部材からなる点。
［相違点２］
　本願補正発明は、第３ヨークがレンズの駆動方向に関して各駆動コイルの間に位置することにより、各駆動コイルに対応した数の磁気回路を形成しているのに対し、刊行物１発明がそのような構成を採用していない点。
［相違点３］
　本願補正発明は、第２ヨークが前記鏡筒の外周壁に形成された内外を連通させる切欠孔を塞ぐようにして鏡筒に取り付けられると共に、第２ヨークと鏡筒が一体になってレンズ駆動装置の一外周面を形成しているのに対し、刊行物１発明がそのような構成を採用していない点。
　
（４）判断
［相違点１］について
　まず、第２ヨークを一のものとした点について検討すると、一般に、部材を分割された複数のもので構成するか、一体的に構成するかは、当業者が適宜選択可能な設計上の事項に過ぎないものと認められ、この点、すなわち第２ヨークを一のものとした点については、何ら格別のものとはいえない。
　次に、第２ヨークがマグネットを保持した点について検討すると、刊行物１発明はマグネットと第２ヨークとが「中心側からこの順序で互いに同軸に配列され」るものであり、また、刊行物１には「その１つ４６（以下、「第１のマグネット」と言う。）は・・・その切欠４６ａが第１の外側ヨーク４１の切欠４１ａと一致するように該第１の
外側ヨーク４１の内周面に固定され
　
［相違点２］について
　刊行物１発明は、マグネット、ヨーク等の部材を複数設けることにより、「各駆動コイルに対応した数の磁気回路を形成」しているものであるが、マグネット、ヨーク等の部材を一のものとした場合に、「各駆動コイルに対応した数の磁気回路を形成」するために、ヨークを駆動コイルの間に位置させることは当業者が容易に想到し得た事項であると認められ、相違点２に係る本願発明の発明特定事項についても何ら格別のものとはいえない。
　
［相違点３］について
　ヨークが外周面を形成するものとしては、原査定の拒絶の理由に引用された特開平９−６１６９２号公報（以下、「刊行物２」という。）に記載されたものがあり（刊行物２のヨーク２７）、刊行物１発明においても、上面壁１１の一部を削除し、外側ヨークがレンズ駆動装置の一外周面を形成するようにすること、言い替えれば、「第２ヨークが鏡筒の外周壁に形成された内外を連通させる切欠孔を塞ぐようにして鏡筒に取り付けられると共に、第２ヨークと鏡筒が一体になってレンズ駆動装置の一外周面を形成」することは、上記刊行物２に記載の発明に基づいて当業者が容易に想到し得た事項であるというべきである。
　
　そして、本願補正発明の作用効果も、刊行物１、刊行物２に記載された発明から当業者が予測できる範囲のものである。
　
　したがって、本願補正発明は、刊行物１、刊行物２に記載された発明に基づいて、当業者が容易に発明をすることができたものであるから、特許法第２９条第２項の規定により特許出願の際独立して特許を受けることができないものである。
　
（５）むすび
　以上のとおり、本件補正は、特許法第１７条の２第５項において準用する同法第１２６条第５項の規定に違反するものであり、同法第１５９条第１項において読み替えて準用する同法第５３条第１項の規定により却下されるべきものである。
　
３．本願発明について
　平成１６年５月２４日付の手続補正は上記のとおり却下されたので、本願の請求項１に係る発明（以下、同項記載の発明を「本願発明」という。）は、平成１６年２月２０日付手続補正書の特許請求の範囲の請求項１に記載された事項により特定される、以下のとおりのものである。
「鏡筒の内部に配設された複数の可動レンズ部に設けられた駆動コイルをヨーク及びマグネットを含む磁気回路により光軸方向に移動させるレンズ駆動装置において、前記ヨークは、前記複数の可動レンズ部の各駆動コイルが摺動自在に外嵌された一の第１ヨークと、前記マグネットを保持した一の第２ヨークと、前記第１ヨーク及び前記第２ヨークを連結する第３ヨークとからなり、前記第３ヨークがレンズの駆動方向に関して前記各駆動コイルの間に位置することにより、前記各駆動コイルに対応した数の磁気回路が形成され、前記第２ヨークが前記鏡筒の外周壁に形成された内外を連通させる切欠孔を塞ぐようにして前記鏡筒に取り付けられることにより、前記第１ヨーク及び前記第３ヨークが前記鏡筒内に位置することを特徴とするレンズ駆動装置。」
　
（１）刊行物
　原査定の拒絶の理由に引用された刊行物、および、その記載事項は、前記「２．（２）」及び「２．（４）」に記載したとおりである。
　
（２）対比・判断
　本願発明は、前記「２．」で検討した本願補正発明から「前記第２ヨークと前記鏡筒が一体になって前記レンズ駆動装置の一外周面を形成し」との限定を省いたものである。そうすると、本願発明にさらに他の構成を付加したものに相当する本願補正発明が、前記「２．（４）」に記載したとおり、刊行物１、刊行物２に記載された発明に基づいて、当業者が容易に発明をすることができたものであるから、本願発明も、同様の理由により、刊行物１、刊行物２に記載された発明に基づいて、当業者が容易に発明をすることができたものである。
　
（３）むすび
　以上のとおり、本願発明は、刊行物１、刊行物２に記載された発明に基づいて、当業者が容易に発明をすることができたものであるから、特許法第２９条第２項の規定により特許を受けることができない。
　よって、結論のとおり審決する。